【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
前面に開口部を有する箱体状の本体と、前記開口部の下辺部を支軸として上部が開放されるように傾動可能なドアとを備え、前記本体へ収納した食器へ洗浄水を噴射して洗浄する食器洗浄機において、
前記ドアを外プレートと内プレートとを対向配置して形成し、前記ドアの外プレートに対して上下方向に揺動自在になるように水平方向に配置支持された操作部を備えたドア取っ手を設け、
該ドア取っ手は、下端が前記ドアに支持軸を介して揺動自在に支持されているとともに、前記外パネルより外側に位置する操作部が前記支持軸より上方に位置し、かつ上方に行くほどドアとの離間距離が広くなるように傾斜して設けられ、さらに操作部のドアと対向する内側面が平面形状に形成されていて、前記操作部の内側面を下方に押圧操作することでドアが開放されるように構成されていることを特徴とする食器洗浄機。
【請求項２】
前記内プレートの外面に前記本体に設けられた受け穴に係合するフック部を設け、操作部を操作して前記ドア取っ手を下方へ傾動させると前記フック部と前記本体との係合を解除する伝達機構が前記外プレートと内プレートとの間に設けられ、該伝達機構は、前記ドア取っ手に外端側が固定され、かつドアに回動可能に支持された取っ手ベースと、前記取っ手ベースの内端側に連係されることで回動動作するようにドアに回動可能に設けられたフックベースとから構成され、 
前記取っ手ベースは、前記ドア取っ手に固定された取っ手支持部と、前記取っ手支持部の支軸よりも内プレート側に形成された回動動作伝達フックとを備え、  
前記フックベースに、前記内プレートの内側面から前記受け穴に向かって突出した前記フック部と、前記フック部を前記受け穴に係合する方向に付勢する付勢手段と、前記回動動作伝達フックに係合する回動動作受けフックとを備え、  
前記ドア取っ手の傾動により前記動作伝達フックが前記回動動作受けフックを前記外プレート側に引き寄せ、前記フック部を下方に移動させて前記受け穴との係合を解除することを特徴とする請求項１記載の食器洗浄機。  
【請求項３】
前記フックベースを、互いに独立して回動可能な複数の部材によって形成したことを特徴とする請求項２記載の食器洗浄機。  
【請求項４】
前記内プレートの外面に前記本体に設けられた受け穴に係合するフック部を設け、操作部を操作して前記ドア取っ手を下方へ傾動させると前記フック部と前記本体との係合を解除する伝達機構が前記外プレートと内プレートとの間に設けられ、前記伝達機構は、前記ドア取っ手に外端側が固定され、かつドアに回動可能に支持された取っ手ベースと、前記取っ手ベースの側方に回動可能に設けられたフックベースとから構成され、  
前記取っ手ベースは、前記ドア取っ手に固定された取っ手支持部と、前記取っ手支持部の回動軸よりも内プレート側に形成された回動動作伝達フックとを備え、  
前記フックベースに、前記内プレートの内側面から前記受け穴に向かって突出した前記フック部と、前記フック部を前記受け穴に係合する方向に付勢する前記付勢手段と、前記回動動作伝達フックに係合する回動動作受けフックとを備え、  
前記ドア取っ手の傾動により、前記回動動作伝達フックが前記回動動作受けフックを前記外プレート側に引き寄せ、前記フック部を横方向に移動させて前記受け穴との係合を解除することを特徴とする請求項１記載の食器洗浄機。  
【請求項５】
前記取っ手ベースの周面および端面のそれぞれに回動動作伝達フックを設けたことを特徴とする請求項２〜４のいずれかに記載の食器洗浄機。  
【請求項６】
前記ドア取っ手の下面に、前記平坦面と同じ傾斜角度を有する平坦面を形成したことを特徴とする請求項１〜５のいずれかに記載の食器洗浄機。  
【請求項７】
前記ドア取っ手の上面と下面を結ぶ面を凸曲面で形成したことを特徴とする請求項６記載の食器洗浄機。  
【請求項８】
前記ドア取っ手は、その水平方向の両端において前記伝達機構に連結され、前記ドア取っ手と前記外プレートとの隙間を手指の平均外径より小さくしたことを特徴とする請求項１〜７のいずれかに記載の食器洗浄機。
【手続補正２】
【補正対象書類名】明細書
【補正対象項目名】０００９
【補正方法】変更
【補正の内容】
【０００９】
請求項１の発明は、前面に開口部を有する箱体状の本体と、前記開口部の下辺部を支軸として上部が開放されるように傾動可能なドアとを備え、前記本体へ収納した食器へ洗浄水を噴射して洗浄する食器洗浄機において、
前記ドアを外プレートと内プレートとを対向配置して形成し、前記ドアの外プレートに対して上下方向に揺動自在になるように水平方向に配置支持された操作部を備えたドア取っ手を設け、
該ドア取っ手は、下端が前記ドアに支持軸を介して揺動自在に支持されているとともに、前記外パネルより外側に位置する操作部が前記支持軸より上方に位置し、かつ上方に行くほどドアとの離間距離が広くなるように傾斜して設けられ、さらに操作部のドアと対向する内側面が平面形状に形成されていて、前記操作部の内側面を下方に押圧操作することでドアが開放されるように構成されていることを特徴とする。
【手続補正３】
【補正対象書類名】明細書
【補正対象項目名】００１１
【補正方法】変更
【補正の内容】
【００１１】
請求項２の発明は、前記内プレートの外面に前記本体に設けられた受け穴に係合するフック部を設け、操作部を操作して前記ドア取っ手を下方へ傾動させると前記フック部と前記本体との係合を解除する伝達機構が前記外プレートと内プレートとの間に設けられ、該伝達機構は、前記ドア取っ手に外端側が固定され、かつドアに回動可能に支持された取っ手ベースと、前記取っ手ベースの内端側に連係されることで回動動作するようにドアに回動可能に設けられたフックベースとから構成され、 
前記取っ手ベースは、前記ドア取っ手に固定された取っ手支持部と、前記取っ手支持部の支軸よりも内プレート側に形成された回動動作伝達フックとを備え、  
前記フックベースに、前記内プレートの内側面から前記受け穴に向かって突出した前記フック部と、前記フック部を前記受け穴に係合する方向に付勢する付勢手段と、前記回動動作伝達フックに係合する回動動作受けフックとを備え、  
前記ドア取っ手の傾動により前記動作伝達フックが前記回動動作受けフックを前記外プレート側に引き寄せ、前記フック部を下方に移動させて前記受け穴との係合を解除することを特徴とする。
【手続補正４】
【補正対象書類名】明細書
【補正対象項目名】００１４
【補正方法】変更
【補正の内容】
【００１４】
請求項４の発明は、前記内プレートの外面に前記本体に設けられた受け穴に係合するフック部を設け、操作部を操作して前記ドア取っ手を下方へ傾動させると前記フック部と前記本体との係合を解除する伝達機構が前記外プレートと内プレートとの間に設けられ、前記伝達機構は、前記ドア取っ手に外端側が固定され、かつドアに回動可能に支持された取っ手ベースと、前記取っ手ベースの側方に回動可能に設けられたフックベースとから構成され、  
前記取っ手ベースは、前記ドア取っ手に固定された取っ手支持部と、前記取っ手支持部の回動軸よりも内プレート側に形成された回動動作伝達フックとを備え、  
前記フックベースに、前記内プレートの内側面から前記受け穴に向かって突出した前記フック部と、前記フック部を前記受け穴に係合する方向に付勢する前記付勢手段と、前記回動動作伝達フックに係合する回動動作受けフックとを備え、  
前記ドア取っ手の傾動により、前記回動動作伝達フックが前記回動動作受けフックを前記外プレート側に引き寄せ、前記フック部を横方向に移動させて前記受け穴との係合を解除することを特徴とする。
【手続補正５】
【補正対象書類名】明細書
【補正対象項目名】００２０
【補正方法】変更
【補正の内容】
【００２０】
手指先端の細かい操作に頼ることなく、一つの動作で簡単かつ安全にドア開閉操作を行うことができるようになる。